(57)【特許請求の範囲】
【請求項１】
１コマ撮影ごとに行われる写真フイルムの巻上げ移送に連動して回転するカム部材と、一方の面に最大撮影可能枚数に応じた目盛りが記され、外周にカム部材が噛合される歯が一定ピッチで形成され、該カム部材の回転によって一目盛り分ずつ回転される円板状のカウンタ板とを備えたレンズ付きフイルムユニットにおいて、
前記カウンタ板の外周には、歯の総数を最大撮影可能枚数に応じた数とするように歯を形成しない無歯区間が設けられており、前記カウンタ板の他方の面には、外周に前記カム部材が噛合される歯が形成された円板状のギアが一体に形成され、前記ギアの歯は、前記カウンタ板の歯と同一のピッチであって、かつ前記カウンタ板の歯に対して回転方向に位相がずれて配列されていることを特徴とするレンズ付きフイルムユニット。
【請求項２】
前記ギアの外周には、前記カウンタ板の前記無歯区間に対応する位置に、歯を形成しない無歯区間が設けられていることを特徴とする請求項１記載のレンズ付きフイルムユニット。
【発明の詳細な説明】
【０００１】
【発明の属する技術分野】
本発明は、レンズ付きフイルムユニットに関し、更に詳しくは、撮影可能枚数を表示するカウンタ板に関するものである。
【０００２】
【従来の技術】
簡単な露光機構を備えるとともに、予め未露光の写真フイルムとパトローネとが製造時に装填され、面倒なフイルム装填と巻戻し操作を不要にしたレンズ付きフイルムユニットとして、例えば「写ルンですＳｕｐｅｒ  ８００  」（商品名）等が本出願人より製造、販売されている。このようなレンズ付きフイルムユニットは、周知のように撮影ごとにパトローネのスプールに係合された巻上げノブを回転操作して、露光済みの写真フイルムをパトローネ内に収納する巻上げ操作を行なう。
【０００３】
一方、新規な写真フイルム及びカートリッジと、これらを利用するカメラや各種処理装置等から構成される「Ａｄｖａｎｃｅｄ  Ｐｈｏｔｏ  Ｓｙｓｔｅｍ  」が提案，発表されている。このＡＰＳ対応の写真フイルムは、パーフォレーションの配列フォーマット等が新規なものとなっている。この写真フイルムでは、各コマのフイルム給送方向の先頭側と後部側とに１個ずつ計２個のパーフォレーションがそれぞれ形成されており、予め決められた位置に撮影が行われる。
【０００４】
更に、上記フイルムカートリッジを装填したレンズ付きフイルムユニットも、「写ルンですスーパースリム」（商品名）等が本出願人より製造、販売されている。このようなレンズ付きフイルムユニットにおいては、隣合うコマ間の後部側と先頭側との近接したパーフォレーションを利用してスプロケットを回転させ、シャッタチャージやカウンタ板の歩進に利用している。
【０００５】
このようなレンズ付きフイルムユニットの内部には、巻上げノブの巻上げ操作に伴って移送される写真フイルムのパーフォレーションに噛合し、従動して回転されるスプロケットと、このスプロケットと同軸で回転されるカム部材と、このカム部材の回転を利用してシャッタチャージを行うシャッタ駆動レバー及び係止レバーや、撮影可能枚数を表示するカウンタ板等が一体化された露光ユニットが組み込まれている。
【０００６】
ところで、上述したようなレンズ付きフイルムユニットは、撮影可能枚数が異なる幾つかのタイプが用意されており、ユーザーは使用目的に対応して、最も経済的なレンズ付きフイルムユニットを選択購入できる。例えば、「写ルンですスーパースリム」（商品名）においては、２５枚撮りと、４０枚撮りの２種類のタイプが用意され、ユーザーは適切な撮影枚数のレンズ付きフイルムユニットを選択できる。
【０００７】
このような、撮影可能枚数が異なる幾つかのタイプのレンズ付きフイルムユニットに対応して、撮影可能枚数を表示するカウンタ板は、従来、各々の撮影可能枚数に対応したピッチの歯が形成されたものを用いていた。このように、各々のタイプのレンズ付きフイルムユニットには、互いに歯のピッチが異なるカウンタ板が用いられ、それに伴い、各々のカウンタ板を駆動するカム部材も、各々のタイプのカウンタ板の歯のピッチに適合するものを使用していた。
【０００８】
【発明が解決しようとする課題】
しかしながら、上述したように撮影可能枚数が異なるレンズ付きフイルムユニットのタイプの毎に、異なるカウンタ板の歯ピッチに適合するカム部材を使用したのでは、構成部品の共通化率が低くなり製造コストが上昇するという問題が発生する。また、異なるタイプへの製造ラインの切り換え時に、使用部品の切り換えも多くなり、生産効率が著しく低下するという問題も生じる。
【０００９】
一方、レンズ付きフイルムユニットの露光ユニットは、回収後に再使用されるが、その際にはカウンタ板をリセットしなくてはならない。しかしながら、カウンタ板と、シャッタチャージを行う係止レバーとを、従来のように当接させてしまうと、カム部材を回転させてカウンタ板を駆動させて、リセットしなければならず、作業効率を悪化させるという問題があった。また、カウンタ板を取り外さずに無理にリセット位置まで回転させると、カウンタ板の外周の歯やカム部材が潰れてしまい、再使用できなくなるという問題も生じる。
【００１０】
本発明は、上述したような課題を解決するためになされたものであり、撮影可能枚数の異なる各タイプのレンズ付きフイルムユニットにおいて、構成部品の共通化率を高めて、製造コストを低減させ、かつ、レンズ付きフイルムユニットのリユース時に、露光ユニットの再使用を容易にしたレンズ付きフイルムユニットを提供することを目的とする。
【００１１】
【課題を解決するための手段】
上記課題を解決するために、請求項１記載のレンズ付きフイルムユニットは、１コマ撮影ごとに行われる写真フイルムの巻上げ移送に連動して回転するカム部材と、一方の面に最大撮影可能枚数に応じた目盛りが記され、外周にカム部材が噛合される歯が一定ピッチで形成され、該カム部材の回転によって一目盛り分ずつ回転される円板状のカウンタ板とを備えたレンズ付きフイルムユニットにおいて、前記カウンタ板の外周には、歯の総数を最大撮影可能枚数に応じた数とするように歯を形成しない無歯区間が設けられており、前記カウンタ板の他方の面には、外周に前記カム部材が噛合される歯が形成された円板状のギアが一体に形成され、前記ギアの歯は、前記カウンタ板の歯と同一のピッチであって、かつ前記カウンタ板の歯に対して回転方向に位相がずれて配列されていることを特徴とするものである。
【００１２】
また、請求項２記載のレンズ付きフイルムユニットは、前記ギアの外周において、前記カウンタ板の前記無歯区間に対応する位置に、歯を形成しない無歯区間を設けたものである。
【００１３】
【発明の実施の形態】
以下、添付した図面に従って、本発明を実施したレンズ付きフイルムユニットの一形態について説明する。図２に示すように、レンズ付きフイルムユニット２は、予めフイルムカートリッジが装填され各種撮影機構が組み込まれたユニット本体３と、このユニット本体３を部分的に覆う外装紙４とから構成されている。
【００１４】
ユニット本体３の上面にはシャッタボタン６，カウンタ窓７が、前面にはファインダ８，撮影レンズ９，ストロボ充電スイッチ１０，ストロボ発光部１１等が設けられている。また、背面側からは１コマの撮影毎に回動操作される巻上げノブ１２が露呈されている。外装紙４は、裏面に接着剤が塗布されてユニット本体３の中央部分に巻かれるように貼付され、撮影レンズ９やファインダ８，カウンタ窓７等を外部に露呈させる開口が形成されている。
【００１５】
図３に示すように、ユニット本体３は、フイルムカートリッジ１４が装填される本体基部１６と、この本体基部１６の前面に組み付けられる露光ユニット１７及びストロボユニット１８と、本体基部１６の前面側及び背面側を覆うように組み付けられる前カバー１９及び後カバー２０とから構成されており、これらは爪係合によって組み立てられる。
【００１６】
フイルムカートリッジ１４は、プラスチック製のカートリッジ本体２２と、このカートリッジ本体２２内に収納される写真フイルム２３とから構成されている。カートリッジ本体２２内には、写真フイルム２３の一端が係止されるスプール２５が回転自在に組み込まれており、更に特開平６−２６６０５３号公報で知られるようなフイルム送出し機構が内蔵されている。
【００１７】
また、写真フイルム２３がカートリッジ本体２２内に出入りするフイルム出入り口（図示せず）には、外部から回動されることによりフイルム出入り口を開閉する棒状の遮光蓋２６が、従来のテレンプに代わって組み込まれている。
【００１８】
図４に示すように、このレンズ付きフイルムユニット２に内蔵される写真フイルム２３はフイルム自由端部２３ａ，撮影領域２３ｂ，フイルム係止部２３ｃから構成されている。撮影領域２３ｂには、一方の側縁に沿ってサイズの異なった大小２個のパーフォレーション２８，２９が２種類の間隔で交互に配列されている。
【００１９】
パーフォレーション２８，２９は、各コマ３０のフイルム給送方向の先頭側と後部側とを設定するもので、レンズ付きフイルムユニット２では撮影毎に写真フイルム２３をカートリッジ本体２２内に巻き込んでいくことから、大パーフォレーション２８がフイルム給送方向の先頭側を、小パーフォレーション２９が後部側を示している。各パーフォレーション２８，２９は、コマ３０の数に対応する数だけ設けられている。
【００２０】
フイルム係止部２３ｃは端部がスプール２５に係止されており、巻上げノブ１２の回動操作によるスプール２５の回転によって、スプール２５に巻き付けられる。フイルム自由端部２３ａとフイルム係止部２３ｃとは撮影に用いられない領域とされており、現像処理時に使用するための露光禁止領域となっている。そのため、フイルム自由端部２３ａとフイルム係止部２３ｃは、未露光の状態でカートリッジ本体２２内に巻き上げられる。
【００２１】
そして、レンズ付きフイルムユニット２に内蔵される写真フイルム２３は、一般のカメラに使用される写真フイルムに追加工を施して、レンズ付きフイルムユニット用として用いられる。カメラ用の写真フイルムとレンズ付きフイルムユニット用の写真フイルム２３との差異は、大パーフォレーション２８の大きさと、フイルム係止部２３ｃの範囲内に追加された初期チャージ用の小パーフォレーション３１である。カメラ用の写真フイルムでは全てのパーフォレーションの大きさが同じ大きさとなっており、フイルム係止部２３ｃ内にパーフォレーションは存在しない。フイルム自由端部２３ａのパーフォレーション３２は、カメラに装填された際に最初のシャッタチャージを行うためのものである。
【００２２】
このようなフイルムカートリッジ１４の写真フイルム２３の長さは、コマ３０の数が、例えば、１５，２５，４０個分となるように設定されており、各々、撮影可能枚数が１５枚撮り，２５枚撮り，４０枚撮りとなる。
【００２３】
本体基部１６の中央部には、前面側に組み付けられた露光ユニット１７から写真フイルム２３までの間の撮影光路を遮光する遮光筒３４が設けられている。この遮光筒３４の背面側には、写真フイルム２３への露光範囲を規定するアパーチャーが形成されており、このアパーチャーに対面するように後カバー２０にフイルム支持面２０ａが形成されている。遮光筒３４の前面側には、撮影レンズ９を透過した被写体光をアパーチャーに導くための開口４６が形成されている。また、遮光筒３４の上方には、露光ユニット１７に組み込まれたスプロケットを写真フイルム２２に向けて露呈させるための開口３４ａが形成されている。
【００２４】
遮光筒３４を挟む両側には、製造段階でカートリッジ本体２２と、写真フイルム２３がロール状に巻かれたフイルムロール３５とがそれぞれ収納される、カートリッジ室３６とフイルムロール室３７とが一体に形成されている。
【００２５】
カートリッジ室３６及びフイルムロール室３７は、本体基部１６の背面側に後カバー２０が組み付けられ、後カバー２０に一体に形成されたカートリッジ室用の底蓋３９と、フイルムロール室用の底蓋４０とが閉じられることにより、適正な遮光能が得られる。なお、底蓋３９，４０は、後カバー２０に対して屈曲自在な薄肉部を介して連結されており、底蓋３９は使用後のレンズ付きフイルムユニット２からフイルムカートリッジ１４を取り出す際に開放される。
【００２６】
カートリッジ室３６の上部には、巻上げノブ１２が回転自在に組み付けられている。この巻上げノブ１２は、外周にギヤが形成されており、下面に形成された駆動軸がカートリッジ本体２２のスプール２５に係合される。そして、１コマの撮影ごとに図中反時計方向に回転操作されることにより、スプール２５で写真フイルム２２を巻き上げる。また、巻上げノブ１２は、カートリッジ室３６の上面に形成された逆止爪４５がギヤに噛合されることにより、逆方向への回転を阻止されている。
【００２７】
また、図示しないが、カートリッジ室３６の上面及び側面には、カートリッジ室３６からフイルムカートリッジ１４を取り出す際に、底蓋３９の開放に連動して遮光蓋２６を閉じる遮光蓋閉鎖機構が組み込まれている。
【００２８】
ストロボユニット１８は、ストロボ回路が設けられたプリント基板１８ａと、これに組み付けられたストロボ発光部１１とからなり、前カバー１９に設けられたストロボ充電スイッチ１０の押圧によって、スイッチ接片４２がプリント基板１８ａの接点部分に接触されることによりストロボ充電が行われ、シャッタレリーズにシンクロしてストロボ発光が行われる。また、プリント基板１８ａにはストロボユニット１８の電源となる乾電池３７を接続する金属接片も設けられている。
【００２９】
図５，図６，図７に示すように、露光ユニット１７は、プラスチック成形されたベース部４８に各種部品が組み付けられてユニット化され、遮光筒３４の前面に着脱自在に組み付けられる。ベース部４８の上面には、シャッタ機構を構成する複数の部品が組み付けられるとともに、ファインダ８を構成するレンズ４９が保持されている。ベース部４８の前面には、撮影レンズ９を保持するレンズカバー５０が組み付けられており、このレンズカバー５０とベース部４８との間に写真フイルム２３への露光を行う露光開口が形成され、この露光開口を開閉するシャッタ羽根が揺動自在に組み付けられている。
【００３０】
ベース部４８の上面には、軸５２，５３，軸受け部５４が形成されている。軸５２には、シャッタ駆動レバー５５，第１バネ５６，カウンタ板５７が順に挿入される。軸５３には、第２バネ５８，係止レバー５９が順に挿入される。軸受け部５４には、カム部材６０が挿入される。その他に、スプロケット６１と、ベース部４８の上面に組み付けられる付勢バネ６２と、天板６３とが露光ユニット１７を構成している。天板６３はベース部４８の上部に組み付けられ、穴６３ａで軸５２の上端を支持し、切欠６３ｂでカム部材６０の上端を支持する。また天板６３は全体が透明なプラスチックで形成されており、符号６４はカウンタ板５７の上面に記された目盛りを拡大表示するレンズとなっている。
【００３１】
上記軸受け部５４は下方まで穴が貫通されており、挿入されたカム部材６０の下端は下方から突出される。そして、カム部材６０の下端にはスプロケット６１が係合され、スプロケット６１は遮光筒３４の上部の開口３４ａから写真フイルム２３に向けて露呈される。スプロケット６１の外周には、隣合うコマ間の後部側と先頭側との近接した一対の大小パーフォレーション２８，２９に順次に噛合する一対の大小の歯６６，６７が、１８０°の回転対称で２対設けられている。そして、スプロケット６１は、１コマ分の写真フイルム２３がカートリッジ本体２２内に巻き上げられる際のフイルム移送に従動して、図中反時計方向に半回転される。
【００３２】
カム部材６０は、上方から順に、カウンタ駆動軸６９，巻止めカム７０，チャージカム７１，付勢カム７２，軸７３が一体に形成されている。軸７３は、軸受け部５４に挿入され、下端にスプロケット６１が係合される。
【００３３】
付勢カム７２は、１８０°の回転対称で形成された一対の突起からなる。写真フイルム２３にはパーフォレーションが連続的に設けられていないことから、スプロケット６１の歯６６，６７がパーフォレーション２８，２９の何れとも噛合されない状態が発生してしまう。この状態のときに、ベース板４８に組み付けられた付勢バネ６２が付勢カム７２を押圧し、カム部材６０を従動方向に回動させるようになっている。これにより、スプロケット６１の小歯６７は、次のパーフォレーション２９に噛合可能な位置まで移動される。付勢バネ６２は、金属薄板を屈曲させた板バネとなっている。
【００３４】
シャッタ駆動レバー５５は、第１バネ５６によって反時計方向（レリーズ位置）に向けて付勢されている。第１バネ５６は、一端５６ａがベース部４８上のピン４８ａに掛けられ、他端５６ｂがシャッタ駆動レバー５５のバネ掛け部５５ａに掛けられている。シャッタチャージカム７１は、１８０°の回転対称で形成された羽根形状の突起からなり、シャッタ駆動レバー５５の突部５５ｂを押圧し、図５に示すように、時計方向（チャージ位置）に向けて回動させる。
【００３５】
係止レバー５９は、一端５８ａがベース部４８上のピン４８ｂに掛けられ、他端５８ｂがバネ掛け部５９ａに掛けられた第２バネ５８によって、時計方向（巻止め位置）に向けて付勢されている。カム部材６０が半回転して、巻止めカム７０の溝７０ａが係止レバー５９の爪部５９ｂに合致する位置に到達すると、図５に示すように、係止レバー５９は第２バネ５８の付勢によって時計方向に回動され、爪部５９ｂを溝７０ａに挿入する。これによりカム部材６０の回転が阻止され、フイルム巻止め状態となる。
【００３６】
係止レバー５９が爪部５９ｂを巻止めカム７０に係合するために時計方向に回動されると、係止レバー５９から下方に向けて突出された係合部７４が、シャッタ駆動レバー５５から上方に向けて突出された被係合部７５の回動軌跡内に入り込んで係合し、シャッタ駆動レバー５５をチャージ位置で保持する。
【００３７】
また、係止レバー５９が巻止めカム７０とシャッタ駆動レバー５５とに係合する際には、巻止め爪５９ｃが巻上げノブ１２の外周の歯に噛合させる。これにより、カム部材６０によるフイルム巻止めとともに、巻上げノブ１２の回転禁止によるフイルム巻止めが行われる。なお、スプロケット６１は、シャッタチャージが行われている際には大歯６６が写真フイルム２３の大パーフォレーション２８に噛合している状態で停止される。
【００３８】
上記係合部７４と被係合部７５とが係合された後にシャッタボタン６が押下されると、シャッタボタン６の下面に形成された押圧ロッド７７（図３参照）が係止レバー５９のバネ掛け部片５９ａを押圧し、係止レバー５９は第２バネ５８の付勢に抗して反時計方向に回動される。係止レバー５９が反時計方向に回動されると、係合部７４と被係合部７５との係合が解除され、第１バネ５６の付勢によってシャッタ駆動レバー５５は、図５に示す位置から図６に示す位置まで反時計方向に回動される。
【００３９】
シャッタ駆動レバー５５が反時計方向に回動されると、被係合部７５の下方に形成された蹴飛ばしアーム５５ｂがシャッタ羽根の一端を蹴飛ばす。これにより、シャッタ羽根は軸着部を中心にして揺動して露光開口を開放し、写真フイルム２３への露光が行われる。シャッタ羽根はバネによって露光開口を塞ぐ位置に向けて付勢されているので、露光開口はすぐに閉じられる。
【００４０】
係止レバー５９は、係合部７４が被係合部７５の側面に当接することにより、シャッタボタン６の押圧ロッド７７によって回動された状態で保持される。しかしながら、爪部材５９ｃと巻止めカム７０との係合の解除は、シャッタボタン６の押圧による回転だけでは行われない。これは、シャッタボタンを僅かに押圧して巻上げノブを回転することにより発生する、未露光写真フイルムの巻き上げを防止するためである。
【００４１】
係止レバー５９の係合部７４の近傍には、凸部７９が一体に形成されている。この凸部７９には、シャッタレリーズ時にシャッタ駆動レバー５５が反時計方向に回動する際に、被係合部７５の近傍で上方に向かって突設された蹴飛ばし突起８０が突き当てられる。第１バネ５６と第２バネ５８とでは、第２バネ５８の方が付勢力が弱いので、凸部７９に蹴飛ばし突起８０が突き当たると、係止レバー５９は第２バネ５８の付勢に抗して反時計方向に回動される。
【００４２】
これにより、爪部５９ｃが巻止めカム７０の溝７０ａから抜け出し、巻止め爪５９ｃが巻上げノブ１２の歯から離れてフイルム巻止めが解除され、続く写真フイルム２２の巻き上げが可能となる。
【００４３】
また、第２バネ５８の一端５８ａは延長されて更に湾曲されることにより、付勢カム７２に当接し、カム部材６０が従動方向に回転するのを阻止している。巻上げノブ１２のフイルム巻き上げにより、写真フイルム２３にはカートリッジ本体２２側に向かって引っ張られるようなテンションが発生する。このテンションは、シャッタレリーズによって巻上げノブ１２の係止が解除されると瞬時に開放されるが、その際に露光中の写真フイルム２３に微小な振動が発生してしまうことがあった。
【００４４】
第２バネ５８の一端５８ａは、付勢カム７２の従動方向への回転を阻止することにより、写真フイルム２３のテンション開放時の振動をカム部材６０とスプロケット６１とを介して抑える。なお、第２バネ５８は付勢力が弱く、一端５８ａは緩やかに湾曲されているので、写真フイルム２３の移送によりスプロケット６１が回転される際には、一端５８ａは付勢カム７２に押圧されて容易に変位し、付勢カム７２の回転を許容する。
【００４５】
図１，及び図８に示すように、例えば４０枚撮り用のカウンタ板５７の外周には複数の歯８２が連なって形成されている。これらの歯８２は、カム部材６０の上部に形成された断面がひょうたん形の係止カム８３に噛合し、後述する駆動ギヤと歩進ギヤとが噛合していないときに、レンズ付きフイルムユニット２に加えられる振動や衝撃によって、カウンタ板５７が不用意に回転するの防止するための係止ギヤとなっている。なお、図８，９，１０は、図面の簡略化して見易くするためにシャッタ駆動レバー５５の図示を省略している。
【００４６】
カウンタ板５７の上面には、歯８２に対応して点や数字からなる目盛り８４が回転方向に沿って０〜４０（４０枚撮りの場合）まで記されており、上方に配置される天板６３のレンズ６４を介してユニット本体３のカウンタ窓７から外部表示される。なお、このカウンタ板５７は、残り撮影可能枚数（あと何枚撮影が可能か）を表示するように目盛り８４が記されている。
【００４７】
また、カウンタ板５７の下面には、カウンタ板５７を一目盛りずつ歩進する小径の歩進ギヤ８６が一体に形成されている。この歩進ギヤ８６の外周には、複数の歯８７が形成されており、この歯８７はカウンタ駆動軸６９の係止カム８３の下部に形成された一対の突起からなる駆動ギヤ８８に噛合され、カム部材６０の半回転によって図中時計方向に一歯分回転される。
【００４８】
歩進ギヤ８６の歯８７は、カウンタ板５７の歯８２に対して回転方向で僅かに位相がずれて形成されている。これはカム部材６０の回転中に、係止カム８３とカウンタ板５７、あるいは駆動ギヤ８８と歩進ギヤ８６とのいずれか一方がたえず噛合している状態にするためであり、カウンタ板５７の回転位置がどの状態にあっても振動や衝撃によるカウンタ板５７の誤表示を防止できる。
【００４９】
カウンタ板５７の外周には、数歯分の歯が形成されていない無歯区間９０が形成されている。無歯区間９０は、写真フイルム２３の規定枚数の撮影を終了し、全ての写真フイルム２３をカートリッジ本体２２に巻き込んだ際に係止カム８３に噛合される最終歯８２ａと、露光ユニット１７を本体基部１６に組み付ける際に係止カム８３に噛合される初期歯８２ｂとの間に形成されている。なお、歩進ギヤ８６にもカウンタ板５７の最終歯８２ａと初期歯８２ｂとに対応する歯８７の間に無歯区間９１が設けられている。
【００５０】
この無歯区間９０の長さを変えることにより、レンズ付きフイルムユニット２の撮影可能枚数の多少にかかわらず、カウンタ板５７の歯８７のピッチを一定にすることが可能になる。これにより、レンズ付きフイルムユニット２の撮影可能枚数の異なるタイプの間でも、カウンタ駆動軸６９の係止カム８３、及びその下部に形成された一対の突起からなる駆動ギヤ８８を、共通のものを使用することが可能になる。
【００５１】
例えば、図１のように、４０枚撮りのカウンタ板５７は、ほぼ全周に渡って目盛り８４が記されており、無歯区間９０も短い範囲であり、歯８７のピッチは、「Ｌ」となっている。一方、図１１（Ａ）に示すように、２５枚撮りのカウンタ板１０１は、目盛り１０２が全周の内のほぼ半分程度であり、無歯区間１０３を半周弱に設定することにより、歯８７のピッチは、４０枚撮りのカウンタ板５７と同じ「Ｌ」となる。従って、このカウンタ板１０１を駆動するための駆動ギヤも、４０枚撮りのレンズ付きフイルムユニット２と全く同じものを用いることができる。
【００５２】
また、図１１（Ｂ）に示すように、１５枚撮りのカウンタ板１０５は、目盛り１０６が全周の内のほぼ３分の１程度であり、無歯区間１０７を３分の２程度に設定することにより、歯８７のピッチは、４０枚撮りのカウンタ板５７、及び２５枚撮りのカウンタ板１０１と同じ「Ｌ」にすることができる。従って、このカウンタ板１０５を駆動するための駆動ギヤも、４０枚撮り，及び２５枚撮りのレンズ付きフイルムユニット２と全く同じものを共通に用いることが可能になる。
【００５３】
さらに、この無歯区間９０は、撮影終了後に回収したレンズ付きフイルムユニット２から露光ユニット１７を取り外して再使用する際に、カウンタ板５７をリセットする際に用いられる。
【００５４】
次に、上記実施形態の作用について説明する。図２に示すような、例えば４０枚撮りのレンズ付きフイルムユニット２を購入したユーザーは、始めに巻上げノブ１２を回転操作して撮影準備を行う。巻上げノブ１２が回転操作されると、図３に示すカートリッジ本体２２のスプール２５が巻上げ方向に回転され、図４に示すフイルム係止部２３ｃがカートリッジ本体２２内に巻き上げられる。
【００５５】
このフイルム巻上げの際の写真フイルム２３の移動と付勢バネ６２の付勢とにより、スプロケット６１とカム部材６０とは第２バネ５８の一端５８ａの付勢に抗して従動方向に回転され、小歯６７が初期チャージ用のパーフォレーション３１に噛合可能な位置まで移動される。さらに写真フイルム２３が移送されると、図５に示すように、スプロケット６１の小歯６７がパーフォレーション３１に噛合し、大歯６６が最初のコマ３０ｂの大パーフォレーション２８に順次噛合する。巻上げノブ１２の回転操作が開始されてから大歯６６が大パーフォレーション２８に噛合するまでの間に、カム部材６０は反時計方向に半回転される。
【００５６】
カム部材６０が半回転する間にチャージカム７１がシャッタ駆動レバー５５の突部５５ｂを押圧して、シャッタ駆動レバー５５を第１バネ５６の付勢に抗して時計方向に回動させる。シャッタ駆動レバー５５がチャージ位置に向けて回動されると、シャッタ駆動レバー５５の蹴飛ばし突起８０による押圧が解除されるので、係止レバー５９は、第２バネ５８の付勢によって時計方向に回動する。
【００５７】
時計方向に回動した係止レバー５９は、爪部５９ｂを巻止めカム７０の溝７０ａに係合させてカム部材６０の回転をロックするとともに、係合部７４をシャッタ駆動レバー５５の被係合部７５の移動軌跡内入り込ませる。これにより、チャージカム７１による押圧が解除されたシャッタ駆動レバー５５は、第１バネ５６の付勢によって反時計方向に回動し、被係合部７５と係合部７４とが係合する。
【００５８】
更に、係止レバー５９は巻止め爪５９ｃを巻上げノブ１２の外周のギヤに噛合させ、回転操作を阻止する。また、カウンタ板５７は係止カム８３と、歩進ギヤ８６及び駆動ギヤ８８によって時計方向に回転され、カウンタ窓７からは４０枚の残り撮影枚数を示す目盛り８４が表示される。これにより、レンズ付きフイルムユニット２の撮影準備が完了する。
【００５９】
その後、ファインダ８で撮影範囲を確認し、シャッタボタン６を押下すると、押圧ロッド７７が係止レバー５９のバネ掛け部５９ａを押圧して反時計方向（巻き止め解除位置）に向けて回動させる。これにより、係止レバー５９の係合部７４とシャッタ駆動レバー５５の被係合部７５との係合が解除され、図６に示すように、シャッタ駆動レバー５５は第１バネ５６の付勢によって反時計方向に回動する。
【００６０】
シャッタ駆動レバー５５は、ベース部４８とレンズカバー５０との間に揺動自在に組み付けられたシャッタ羽根の一端を、蹴飛ばしアーム５５ｂで蹴飛ばして揺動させる。これにより、露光開口が開放されて写真フイルム２３への露光が行われる。また、シャッタ羽根はバネの付勢によって、すぐに露光開口を閉じる。
【００６１】
シャッタ羽根を蹴飛ばしたシャッタ駆動レバー５５は、被係合部７５の近傍の蹴飛ばし突起８０によって係止レバー５９の凸部７９を蹴飛ばす。これにより係止レバー５９は、第２バネ５８の付勢力が第１バネ５６の付勢力よりも弱いので反時計方向に回動され、爪部５９ｂが巻止めカム７０の溝７０ａから抜け出し、フイルム巻止めが解除される。その後、巻上げノブ１２をフイルム巻上げ方向（反時計方向）に回転操作すると、前述のようにカム部材６０が半回転され、シャッタチャージとカウンタ板５７の一目盛り分の回動とフイルム巻止めとが行われる。
【００６２】
以上のように撮影とフイルム巻上げとを繰り返して最後のコマ３０ａへの撮影が終了した後に、コマ３０ａとフイルム自由端部２３ａとを含む、残り全ての写真フイルム２３のカートリッジ本体２２内への巻上げを行う。巻上げノブ１２が回転操作されると、写真フイルム２３がカートリッジ本体２２内に向けて移送され、スプロケット６１は大歯６６がコマ３０ａの大パーフォレーション２８に押圧されて回転する。
【００６３】
スプロケット６１が回転されると、図８に示すように、スプロケット６１の大歯６６がフイルムレール面９７内に引っ込み、この際のカム部材６０の回転によってカウンタ板５７が僅かに時計方向に回転され、係止突起６９が非チャージ状態の係止レバー５９の突出片９４に当接する。
【００６４】
これにより、カウンタ板５７は回転がロックされ、付勢バネ６２により従動方向に付勢されているカム部材６０の回転もロックされる。そして、スプロケット６１はフイルムレール面９７から歯を突出させない状態で停止されるので、何ら支障なく写真フイルム２３をカートリッジ本体２２内に巻き上げることができる。また、スプロケット６１がコマ３０ａの小パーフォレーション２９や初期チャージ用のパーフォレーション３２によって回転されないので、フイルム自由端部２３ａの巻上げ中にはシャッタチャージが行われず、確実にフイルム自由端部２３ａを未露光の状態で巻き上げることができる。
【００６５】
全ての撮影が終了したレンズ付きフイルムユニット２は、ユーザーによって現像取扱店等に同時プリントの依頼の際に渡される。現像取扱店では、レンズ付きフイルムユニット２からフイルムカートリッジ１４を取り出して、現像処理とプリント処理とを行い、プリント写真とカートリッジ本体２２内に収められたネガフイルムとをユーザーに返却する。
【００６６】
フイルムカートリッジ１４が取り出されたレンズ付きフイルムユニット２は、メーカーによって回収され、分解後に検査等を経て再使用する部品と、原材料として再利用する部品とに分別される。再使用部品である露光ユニット１７は、ユニット本体３から取り外されて、検査工程に送られる。
【００６７】
露光ユニット１７の検査工程では、撮影レンズ９とファインダ用レンズ４９との汚れや傷の有無が調べられるとともに、シャッタ機構の動作検査が行われる。このシャッタ機構の動作検査に先立って、カウンタ板５７のリセットが行われる。
【００６８】
カウンタ板５７のリセットは、最初に外部から治具等によってシャッタ駆動レバー５５をチャージ位置に向けて回動する。すると、図５及び図９に示すように、係止レバー５９はシャッタ駆動レバー５５をチャージ位置で保持するために回動する。これにより、カウンタ板５７の係止突起９６と係止レバー５９の突出片９４との当接が解除される。なお、この状態では、係止レバー５９を回動させても突出片９４が係止突起９６の先端に当接し、それ以上の回動が阻止されるので、係止レバー５９とシャッタ駆動レバー５５との係合は解除されずシャッタレリーズは行われない。
【００６９】
上述のように強制的にシャッタチャージが行われると、係止カム８３と駆動ギヤ８８とには、カウンタ板５７と歩進ギヤ８６との無歯区間９０，９１が対面する。その後、図１０に示すように、カウンタ板５７を無歯区間９０，９１を利用して時計方向に回転させると、初期歯８２ｂが係止カム８３に係合され、カウンタ板５７のリセットが実施される。その後、係止レバー５９の回動によりシャッタレリーズが可能となるので、レリーズ検査に合格した露光ユニット１７は新たなレンズ付きフイルムユニット２に組み付けられる。
【００７０】
一方、１５，２５，４０の各枚数撮りのレンズ付きフイルムユニットを製造する際に、各々のカウンタ板５７，１０１，１０５は、無歯区間の長さを変えることにより、歯８７のピッチ「Ｌ」が一定になっているので、レンズ付きフイルムユニット２の撮影可能枚数の異なるタイプの間でも、カウンタ駆動軸６９の係止カム８３の下部に形成された一対の突起からなる駆動ギヤ８８を、共通のものを使用することが可能になる。従って、構成部品の共通化か進み、レンズ付きフイルムユニットのローコスト化に大きく寄与する。
【００７１】
また、レンズ付きフイルムユニットの製造時に撮影可能枚数の異なる品種に切り換える際にも、駆動ギヤ８８を別なピッチに対応したタイプのものに取り替える必要がなくなり、生産効率の向上に寄与する。
【００７２】
例えば、図１のように、４０枚撮りのカウンタ板５７は、ほぼ全周に渡って目盛り８４が記されており、無歯区間９０も短い範囲であり、歯８７のピッチは、「Ｌ」となっている。一方、図１１（Ａ）に示すように、２５枚撮りのカウンタ板１０１は、目盛り１０２が全周の内のほぼ半分程度であり、無歯区間１０３を半周弱に設定することにより、歯８７のピッチは、４０枚撮りのカウンタ板５７と同じ「Ｌ」となる。従って、このカウンタ板１０１を駆動するための駆動ギヤも、４０枚撮りのレンズ付きフイルムユニット２と全く同じものを用いることができる。
【００７３】
また、図１１（Ｂ）に示すように、１５枚撮りのカウンタ板１０５は、目盛り１０６が全周の内のほぼ３分の１程度であり、無歯区間１０７を３分の２程度に設定することにより、歯８７のピッチは、４０枚撮りのカウンタ板５７、及び２５枚撮りのカウンタ板１０１と同じ「Ｌ」にすることができる。従って、このカウンタ板１０５を駆動するための駆動ギヤも、４０枚撮り，及び２５枚撮りのレンズ付きフイルムユニット２と全く同じものを共通に用いることが可能になる。
【００７４】
なお、上記実施形態ではレンズ付きフイルムユニットのカウンタ板の例として、４０枚撮り，及び２５，１５枚撮りのタイプの例を示したが、勿論、これに限定されるものではなく、任意の撮影可能枚数のカウンタ板の歯ピッチを同じにし、撮影可能枚数の大小に係わらず、駆動ギアを共通化する事ができる。
【００７５】
【発明の効果】
以上説明したように、本発明のレンズ付きフイルムユニットは、１コマ撮影ごとに行われる写真フイルムの巻上げ移送に連動して回転するカム部材に噛合する、該カム部材の回転によって一目盛り分ずつ回転される円板状のカウンタ板の初期歯と、撮影終了後にカム部材に噛合する最終歯との間に、歯を形成しない無歯区間を設けるとともに、最大撮影可能枚数が異なる複数タイプのレンズ付きフイルムユニットの間で、カウンタ板の外周に設けられる歯のピッチを同一にしたカウンタ板を用いたので、撮影可能枚数の異なる各タイプのレンズ付きフイルムユニットにおいて、構成部品の共通化率を高めて、製造コストを低減させ、かつ、レンズ付きフイルムユニットのリユース時に、露光ユニットの再使用を容易にしたレンズ付きフイルムユニットを提供することが可能になる。
【００７６】
また、カウンタ板の外周の無歯区間により、カウンタ板やカム部材の歯をいためずにカウンタのリセットが可能となる。また、このための部品点数の増加はなく、リセットのための作業も簡単なのでローコストに実施することができる。
【図面の簡単な説明】
【図１】本発明のレンズ付きフイルムユニットのカウンタ板を示す説明図である。
【図２】レンズ付きフイルムユニットの外観を示す斜視図である。
【図３】ユニット本体の構成を示す分解斜視図である。
【図４】写真フイルムを引き出した状態のフイルムカートリッジの正面図である。
【図５】シャッタチャージ状態の露光ユニットの状態を示す平面図である。
【図６】シャッタレリーズ直後の露光ユニットの状態を示す平面図である。
【図７】本発明のレンズ付きフイルムユニットの露光ユニットの構成を示す分解斜視図である。
【図８】使用終了時の露光ユニットの状態を示す平面図である。
【図９】使用終了後にシャッタチャージを行った際の露光ユニットの状態を示す平面図である。
【図１０】カウンタ板リセット時の露光ユニットの状態を示す平面図である。
【図１１】撮影可能枚数の異なるレンズ付きフイルムユニットに用いられるカウンタ板を示す説明図である。
【符号の説明】
２  レンズ付きフイルムユニット
１４  フイルムカートリッジ
１７  露光ユニット
２２  カートリッジ本体
２３  写真フイルム
５５  シャッタ駆動レバー
５６  第１バネ
５７，１０１，１０５  カウンタ板
５８  第２バネ
５９  係止レバー
６０  カム部材
６１  スプロケット
９０，９１  無歯区間
【図１】
0003614585.tif 000002
【図２】
0003614585.tif 000003
【図３】
0003614585.tif 000004
【図４】
0003614585.tif 000005
【図５】
0003614585.tif 000006
【図６】
0003614585.tif 000007
【図７】
0003614585.tif 000008
【図８】
0003614585.tif 000009
【図９】
0003614585.tif 000010
【図１０】
0003614585.tif 000011
【図１１】
0003614585.tif 000012